(57)【要約】【課題】ダウンロードの作業効率を向上させる。【解決手段】情報処理装置１００は、複数のプログラム１１１，１１２，１１３にもとづいて情報の処理を行う。これらのプログラムのメモリ１０３へのダウンロードは、ダウンロードファイル１２０の単位で一時に行われる。ダウンロードの際にはダウンロード結果が表示パネル１０５へ表示される。ダウンロード結果の表示は、あらかじめ用意される複数の表示モードの中から、ヘッダ１２０に記録される表示モード指定フラグ１３２が指定するモードを選択して行われる。例えば、操作キー部１０４の操作にもとづいてプログラム１１１，１１２，１１３の中から表示すべきプログラムを切り替えて表示するモード、時間間隔をおいて自動的に順次表示するモードなどが、あらかじめ用意される。【選択図】      図３
2004355556.tif 000002
【特許請求の範囲】
【請求項１】
一つのファイル単位で複数のプログラムをダウンロード可能であり、ダウンロード結果を表示する表示器と操作者の操作に供する操作入力部とを備え、前記複数のプログラムを含むプログラムにもとづいて情報の処理を行う情報処理装置であって、
前記ダウンロード結果を前記表示器へ表示するモードとして、前記ファイルのヘッダに記録されるフラグにしたがって、複数のモードの中から１を選択する表示モード選択手段を備える情報処理装置。
【請求項２】
前記複数のモードが、前記複数のプログラムの中からダウンロード結果を表示するプログラムを、前記操作入力部の操作によって切り替える操作切り替えモードを含んでいる請求項１に記載の情報処理装置。
【請求項３】
前記複数のモードが、前記複数のプログラムの中からダウンロード結果を表示するプログラムを、時間間隔をおいて順次切り替える時間切り替えモードを含んでいる請求項１または２に記載の情報処理装置。
【請求項４】
前記表示モード選択手段は、前記ヘッダに記録されるタイマ値にしたがって前記時間間隔を設定する請求項３に記載の情報処理装置。
【請求項５】
前記複数のモードが、前記複数のプログラムのすべてを同時に、簡略な形式で表示する簡略表示モードを含んでいる請求項１ないし４のいずれかに記載の情報処理装置。
【請求項６】
前記複数のモードが、前記複数のプログラムのうちの少なくとも２つ以上を同時に、簡略な形式で表示するとともに、前記操作入力部の操作によってスクロール表示可能なスクロール表示モードを含んでいる請求項１ないし５のいずれかに記載の情報処理装置。
【請求項７】
画像が記録された記録紙から画像を読み取るスキャナ部と画像信号を受信する画像信号受信部との組のうちの少なくとも１を有することにより画像信号を取り込む画像入力部と、
画像を記録紙に記録する印画部と画像信号を送信する画像信号送信部との組のうち少なくとも１を有することにより、前記画像入力部により取り込まれた前記画像信号にもとづいて画像または画像信号を出力する画像出力部と、
前記画像入力部と前記画像出力部とを制御する制御部と、を備え、
前記制御部が請求項１ないし６のいずれかに記載の情報処理装置を備える画像形成装置。
【請求項８】
一つのファイル単位で複数のプログラムをダウンロード可能であり、ダウンロード結果を表示する表示器と操作者の操作に供する操作入力部とを備え、前記複数のプログラムを含むプログラムにもとづいて情報の処理を行う情報処理装置に、
前記ダウンロード結果を前記表示器へ表示するモードとして、前記ファイルのヘッダに記録されるフラグにしたがって、複数のモードの中から１を選択する表示モード選択機能を実現させるダウンロード結果表示用プログラム。
【請求項９】
一つのファイル単位で複数のプログラムをダウンロード可能であり、ダウンロード結果を表示する表示器と操作者の操作に供する操作入力部とを備え、前記複数のプログラムを含むプログラムにもとづいて情報の処理を行う情報処理装置に前記ダウンロード結果を表示させる方法であって、
前記ダウンロード結果を前記表示器へ表示するモードとして、前記ファイルのヘッダに記録されるフラグにしたがって、複数のモードの中から１を選択する表示モード選択工程を備えるダウンロード結果表示方法。
【発明の詳細な説明】
【０００１】
【発明の属する技術分野】
本発明は、情報処理装置、画像形成装置、ダウンロード結果表示用プログラム、およびダウンロード結果表示方法に関する。
【０００２】
【従来の技術】
複数のプログラムにもとづいて動作する従来の情報処理装置では、複数のプログラムを一時にまとめてダウンロード（プログラムをメモリへ格納すること）する場合においても、ダウンロードした結果を表示するモード（形式）は１種類に限られていた。例えば、特許文献１にはダウンロードの進行状況に応じて、ダウンロードしているデータの種類やダウンロードが正常に行われているか等の適宜の内容を表示する技術が開示されているが、ダウンロードした結果を表示する際に複数種類のモードでの表示を可能にする技術については開示がない。
【０００３】
【特許文献１】
特開平８−２１２０７９公報
【０００４】
【発明が解決しようとする課題】
しかしながら、ダウンロードを行う作業者、場所などの環境や、情報処理装置の特徴あるいはその応用機器の特徴によって、表示モードを切り替えた方が効率よくダウンロードを行い得る場合がある。従来の情報処理装置では、このような切り替えができず、表示モードは１種類に限定されていたので、ダウンロードの作業効率が悪い場合があるという問題点があった。
【０００５】
本発明は、上記の問題点に鑑みてなされたもので、ダウンロードの作業効率を向上させることのできる情報処理装置、画像形成装置、ダウンロード結果表示用プログラム、およびダウンロード結果表示方法を提供することを目的とする。
【０００６】
【課題を解決するための手段】
この目的のために請求項１に記載の発明は、一つのファイル単位で複数のプログラムをダウンロード可能であり、ダウンロード結果を表示する表示器と操作者の操作に供する操作入力部とを備え、前記複数のプログラムを含むプログラムにもとづいて情報の処理を行う情報処理装置であって、前記ダウンロード結果を前記表示器へ表示するモードとして、前記ファイルのヘッダに記録されるフラグにしたがって、複数のモードの中から１を選択する表示モード選択手段を備えるものである。
【０００７】
この発明によれば、ファイルのヘッダに記録されるフラグにしたがってダウンロード結果の表示モードを選択することができるので、例えば情報処理装置あるいはその応用機器に適した表示モード、あるいはダウンロード作業に適した表示モードを選択することができ、ダウンロード作業の効率を高めることができる。
【０００８】
また、請求項２に記載の発明は、請求項１に記載の情報処理装置であって、前記複数のモードが、前記複数のプログラムの中からダウンロード結果を表示するプログラムを、前記操作入力部の操作によって切り替える操作切り替えモードを含んでいるものである。
【０００９】
請求項３に記載の発明は、請求項１または２に記載の情報処理装置であって、前記複数のモードが、前記複数のプログラムの中からダウンロード結果を表示するプログラムを、時間間隔をおいて順次切り替える時間切り替えモードを含んでいるものである。
【００１０】
請求項４に記載の発明は、請求項３に記載の情報処理装置であって、前記表示モード選択手段が、前記ヘッダに記録されるタイマ値にしたがって前記時間間隔を設定するものである。
【００１１】
請求項５に記載の発明は、請求項１ないし４のいずれかに記載の情報処理装置であって、前記複数のモードが、前記複数のプログラムのすべてを同時に、簡略な形式で表示する簡略表示モードを含んでいるものである。
【００１２】
請求項６に記載の発明は、請求項１ないし５のいずれかに記載の情報処理装置であって、前記複数のモードが、前記複数のプログラムのうちの少なくとも２つ以上を同時に、簡略な形式で表示するとともに、前記操作入力部の操作によってスクロール表示可能なスクロール表示モードを含んでいるものである。
【００１３】
請求項７に記載の発明は、画像形成装置であって、画像が記録された記録紙から画像を読み取るスキャナ部と画像信号を受信する画像信号受信部との組のうちの少なくとも１を有することにより画像信号を取り込む画像入力部と、画像を記録紙に記録する印画部と画像信号を送信する画像信号送信部との組のうち少なくとも１を有することにより、前記画像入力部により取り込まれた前記画像信号にもとづいて画像または画像信号を出力する画像出力部と、前記画像入力部と前記画像出力部とを制御する制御部と、を備え、前記制御部が請求項１ないし６のいずれかに記載の情報処理装置を備えるものである。
【００１４】
この発明によれば、画像形成装置の制御部が本発明による情報処理装置を備えるので、例えば画像形成装置に適した表示モード、あるいはダウンロード作業に適した表示モードを選択することができ、ダウンロード作業の効率を高めることができる。
【００１５】
請求項８に記載の発明は、ダウンロード結果表示用プログラムであって、一つのファイル単位で複数のプログラムをダウンロード可能であり、ダウンロード結果を表示する表示器と操作者の操作に供する操作入力部とを備え、前記複数のプログラムを含むプログラムにもとづいて情報の処理を行う情報処理装置に、前記ダウンロード結果を前記表示器へ表示するモードとして、前記ファイルのヘッダに記録されるフラグにしたがって、複数のモードの中から１を選択する表示モード選択機能を実現させるものである。
【００１６】
この発明によれば、情報処理装置に表示モード選択機能を実現させるので、請求項１に記載の発明と同様に、例えば画像形成装置に適した表示モード、あるいはダウンロード作業に適した表示モードを選択することができ、ダウンロード作業の効率を高めることができる。
【００１７】
請求項９に記載の発明は、一つのファイル単位で複数のプログラムをダウンロード可能であり、ダウンロード結果を表示する表示器と操作者の操作に供する操作入力部とを備え、前記複数のプログラムを含むプログラムにもとづいて情報の処理を行う情報処理装置に、前記ダウンロード結果を表示させるダウンロード結果表示方法であって、前記ダウンロード結果を前記表示器へ表示するモードとして、前記ファイルのヘッダに記録されるフラグにしたがって、複数のモードの中から１を選択する表示モード選択工程を備えるものである。
【００１８】
この発明によれば、前記各工程を備えるので、請求項１に記載の発明と同様に、例えば情報処理装置あるいはその応用機器に適した表示モード、あるいはダウンロード作業に適した表示モードを選択することができ、ダウンロード作業の効率を高めることができる。
【００１９】
【発明の実施の形態】
（画像形成装置の全体構成）
図１は、本発明による画像形成装置の一実施形態としてのディジタル複写機の機械的構成を主に示す側断面概略図の一例である。ディジタル複写機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００２０】
操作部４００は、タッチパネル４０１、スタートキー４０２及びテンキー４０３等を備える。タッチパネル４０１は、拡縮率の設定用画面を含む種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００２１】
原稿給送部６００は、原稿載置部６０１、原稿排出部６０２、給紙ローラ６０３及び原稿搬送部６０４等を備え、原稿読み取り部５００（画像取得装置に相当する）は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００２２】
本体部２００（像形成装置に相当する）は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０を備える。
【００２３】
感光体ドラム２０５は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を転写され、中間転写体ローラ２０４上にカラーのトナー像が形成される。
【００２４】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００２５】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２６】
図２は、図１に示すディジタル複写機１の電気的構成を主に示すブロック図の一例である。ディジタル複写機１は、スキャナ部１１、プリンタ部２１、制御部４１、パラレルＩ／Ｆ部５１、シリアルＩ／Ｆ部５２及びＨＤＤ（ハードディスクドライブ）５３を備えている。また制御部４１は、操作パネル部３１を備えている。
【００２７】
スキャナ部１１は、図１に示す第１スキャナ５０１を構成する照明用光源１２及びイメージセンサ１３を含む。イメージセンサ１３は、例えばＣＣＤ（電荷結合素子）を備える。スキャナ部１１は、照明用光源１２により原稿を照射し、その反射光をイメージセンサ１３で各色毎に受光することにより、原稿から画像を読み取り、読み取った画像に対応する各色の画像データ（画像情報に相当する）を制御部４１へ出力する。
【００２８】
プリンタ部２１は、図１に示す給紙カセット２０１及び給紙ローラ２０２等から構成される用紙搬送部２２、図１に示す中間転写体ローラ２０４、感光体ドラム２０５、露光装置２０６及び現像装置２０７Ｙ，２０７Ｍ，２０７Ｃ，２０７Ｋ等から構成される画像形成部２３、図１に示す転写ローラ２０３等から構成される転写部２４、及び図１に示す定着ローラ２０８等から構成される定着部２５を含む。具体的には、用紙搬送部２２は記録紙を画像形成部２３へ搬送し、画像形成部２３は上記の画像データに対応するトナー像を形成し、転写部２４はトナー像を記録紙に転写し、定着部２５はトナー像を記録紙に定着させて画像を形成する。
【００２９】
操作パネル部３１は、図１に示すタッチパネル４０１等から構成されるタッチパネル部３２、及び図１に示すスタートキー４０２及びテンキー４０３等から構成される操作キー部３３を含む。操作パネル部３１は、ユーザがコピー機能に関する操作を行なうために使用され、ユーザによる操作指令等を制御部４１の図示しない内部回路に与える。タッチパネル部３２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面、例えば、拡縮率設定等に関する情報を表示するとともに、ユーザが当該部分をタッチすることにより種々の操作指令を入力するための操作ボタン等を表示する。操作キー部３３は、ユーザが印刷実行指令等を入力するために用いられる。
【００３０】
制御部４１は、マイクロコンピュータ及び専用のハードウェア回路等を内蔵し、装置全体の動作を制御するものである。制御部４１は、複数ページの読み取り画像情報に対して、ページ毎に所定（例えば、圧縮、回転、濃度変更等）の加工処理を施すものであって、読み取り画像情報の読出し及び加工処理後の画像情報の書き込みを制御するものである。なお、加工処理の種類は、タッチパネル部３２からの入力が受け付けられて選択される。
【００３１】
ＨＤＤ５３は、スキャナ部１１によって読み取られた画像データ及び当該画像データに設定されている出力形式及び種々の画像処理（加工処理）後の画像データ等を記憶するものである。なお、画像データのＨＤＤ５３への書き込み及びＨＤＤ５３からの画像データの読出しは、制御部４１からの指令に従って実行される。パラレルＩ／Ｆ部５１およびシリアルＩ／Ｆ部５２、さらに無線ＬＡＮ等の図示しないネットワークインタフェース部は、データの入出力を行うためのインタフェースである。
【００３２】
図１および図２に示した画像形成装置は、上記の通りディジタル複写機として構成されている。一般に画像形成装置は、複写機のみならず、プリンタ機、ファクシミリ装置等、画像または画像信号の入力および出力を行う装置を広く包含するものである。したがって、一般に画像形成装置には、画像信号を取り込む画像入力部、画像または画像信号を出力する画像出力部、およびそれらを制御する制御部が設けられている。画像入力部は、画像が記録された記録紙から画像を読み取るスキャナ部１１および画像信号を受信する画像信号受信部のうちの少なくとも１を有しており、画像出力部は、画像を記録紙に記録する印画部（例えばプリンタ部２１）および画像信号を送信する画像信号送信部のうち少なくとも１を有している。例えば、プリンタ機であれば画像信号受信部と印画部とが設けられており、ファクシミリ装置であれば、スキャナ部と画像信号送信部とが設けられている。
【００３３】
（情報処理装置の構成）
図３は、本発明による情報処理装置の一実施形態を示すブロック図である。上記した本発明による画像形成装置（例えばディジタル複写機１）の制御部（例えば制御部４１）には、図３に示す情報処理装置１００が組み込まれている。情報処理装置１００は、複数のプログラム１１１，１１２，１１３にもとづいて情報の処理を行うように構成されている。このために、情報処理装置１００には、ＣＰＵ（中央処理装置）１０１、更新処理用プログラム１０２が格納されたメモリ、複数のプログラム１１１，１１２，１１３が格納されたメモリ１０３、操作キー部（操作入力部）１０４、表示パネル（表示器）１０５、およびそれらを接続するバスライン１０６が設けられている。
【００３４】
ＣＰＵ１０１は、更新処理用プログラム１０２およびプログラム１１１，１１２，１１３にもとづいて処理を行う。更新処理用プログラム１０２は、プログラム１１１，１１２，１１３のダウンロード（更新と新規取り込みの双方を含む）処理を規定するとともに、ダウンロード結果を表示パネル１０５へ表示させる処理を規定するプログラムである。したがってＣＰＵ１０１は、更新処理用プログラム１０２にもとづいて、プログラム１１１，１１２，１１３のダウンロードを実行するとともに、表示パネル１０５へダウンロード結果を表示させる。操作キー部１０４は、操作者の手操作により情報の入力を可能にするキーを有しており、図２に示した操作キー部３３はその一例である。表示パネル１０５は、例えば液晶表示パネルである。
【００３５】
プログラム１１１，１１２，１１３のダウンロードは、これらのプログラムを含むダウンロードファイル１２０の単位で一時に行われる。ダウンロードファイル１２０には、ダウンロード対象としてのプログラム１１１，１１２，１１３の他に、ヘッダ１３０が含まれている。ヘッダ１３０には、ダウンロード結果として表示すべき内容を規定する表示内容１３１、複数の表示モードのうちのいずれで表示すべきかを規定する表示モード指定フラグ１３２、および後述するタイマ値１３３が記録されている。
【００３６】
ダウンロードファイル１２０は、例えばパーソナルコンピュータからケーブルを通じて情報処理装置１００へ入力される。ダウンロードファイル１２０が入力されると、これに含まれているプログラム１１１，１１２，１１３がメモリ１０３へ書き込まれる。その結果、メモリ１０３にすでにプログラム１１１，１１２，１１３が格納されていたのであれば、それらはダウンロードファイル１２０が供給する新たなプログラム１１１，１１２，１１３へと更新される。メモリ１０３にプログラム１１１，１１２，１１３が未だ格納されていなかったのであれば、ダウンロードファイル１２０が供給するプログラム１１１，１１２，１１３が新規にメモリ１０３へ格納されることとなる。メモリ１０３には、例えばフラッシュＲＯＭが用いられる。
【００３７】
ヘッダ１３０は、更新処理用プログラム１０２にもとづいて動作するＣＰＵ１０１によって読み込まれる。それにより、ＣＰＵ１０１および更新処理用プログラム１０２は、記録されている表示モード指定フラグ１３２およびタイマ値１３３が指定する表示モードを選択し、表示内容１３１が規定するダウンロード結果に関する表示内容を表示パネル１０５へ表示する。したがって、ＣＰＵ１０１および更新処理用プログラム１０２は、ダウンロード結果の表示モードを選択する表示モード選択部１１０を等価的に構成する。
【００３８】
ダウンロードファイル１２０をダウンロードする形態として、上記の形態以外に例えば、インタネット等のネットワークを通じてダウンロードファイル１２０をダウンロードする形態を採ることも可能である。
【００３９】
図４は、情報処理装置１００がダウンロードファイル１２０を通じてプログラムをダウンロードする手順を示すフローチャートである。ここでは、ダウンロードファイル１２０には、ダウンロード対象としてのプログラムとして、Ａプログラム１１１およびＢプログラム１１２の２つのみが含まれているものとしている。ダウンロード処理が開始されると、まずＡプログラム１１１がダウンロードされる（Ｓ１）。その結果、表示内容１３１にもとづいて表示パネル１０５には、例えば図５が示すような内容が表示される。すなわち、プログラム名、そのバージョン、プログラムを配布した日付又はプログラムをリリースした日付あるいはプログラムを登録した日付等の日付、およびチェックサム（プログラム転送にともなう誤りビットの発生をチェックするための符号の一種）による検査結果が表示される。つぎに、Ｂプログラム１１２がダウンロードされる（Ｓ２）。その結果、表示内容１３１にもとづいて表示パネル１０５には、例えば図６が示すような内容が表示される。
【００４０】
つづくステップＳ３〜Ｓ９の処理では、表示モード指定フラグ１３２が読み込まれ、その内容にしたがって表示モードが選択される。これらの処理は、表示モード選択部１１０によって実行される。まずステップＳ３では、表示モード指定フラグ１３２がキー入力切り替え（操作切り替え）モードを指定しているか否かが判定される。キー入力切り替えモードが指定されておれば、操作者が操作キー部１０４を操作することにより、図５の表示と図６の表示とを切り替えることができる表示モードが実行される（Ｓ４）。
【００４１】
キー入力切り替えモードが指定されていなければ、表示モード指定フラグ１３２が簡略表示モードを指定しているか否かが判定される（Ｓ５）。簡略表示モードが指定されておれば、図７が例示するように、すべてのプログラム、すなわちＡプログラム１１１およびＢプログラム１１２の双方が、簡略な形式で同時に表示される（Ｓ６）。
【００４２】
簡略表示モードが指定されていなければ、表示モード指定フラグ１３２がスクロール表示モードを指定しているか否かが判定される（Ｓ７）。スクロール表示モードが指定されておれば、スクロール表示が可能となる（Ｓ８）。スクロール表示モードは、すべてを同時に簡略表示できないほどにダウンロードすべきプログラムの数が多いときに有効である。例えば、図３が示すようにダウンロードファイル１２０が、Ａプログラム１１１およびＢプログラム１１２に加えて、Ｃプログラム１１３あるいは更に他のプログラムを含んでいる場合には、操作者が操作キー部１０４を操作することにより、図７および図８に描かれるように表示内容をスクロールすることができる。このステップＳ８で実行されるスクロール表示モードは、同時に表示されるプログラムが２つ（またはそれ以上）である点において、ステップＳ４における切り替え表示モードとは相違する。
【００４３】
スクロール表示モードが指定されていなければ、時間切り替えモードによる表示が実行される（Ｓ９）。この表示モードでは、図５の表示と図６の表示とが時間間隔をおいて自動的に切り替えられる。この時間間隔は、あらかじめ定められた一定時間でもよく、ヘッダ１３０に記録されるタイマ値１３３にしたがって設定するものであってもよい。図４にはステップＳ９として後者の例を示している。いずれかの表示モードによる表示が終了すると、ダウンロード処理は終了する。
【００４４】
以上のように情報処理装置１００では、予め用意された複数の表示モードの中から、ヘッダ１３０に記録される表示モード指定フラグ１３２の指示内容にしたがって、いずれかの表示モードが選択され、選択された表示モードによる表示が行われる。このため、例えば情報処理装置１００あるいはその応用機器に適した表示モード、あるいはダウンロード作業に適した表示モードを選択することができ、ダウンロード作業の効率を高めることができる。
【００４５】
【発明の効果】
以上に述べたように、本発明によれば、ダウンロード結果の表示に関して、複数の表示モードの中からファイルのヘッダに記録されるフラグにしたがって、例えば情報処理装置あるいはその応用機器に適した表示モード、あるいはダウンロード作業に適した表示モードを選択することができるので、ダウンロード作業の効率を高めることができる。
【図面の簡単な説明】
【図１】本発明の画像形成装置の一実施形態を示す側断面概略図である。
【図２】図１の画像形成装置のブロック図である。
【図３】本発明の情報処理装置の一実施形態を示すブロック図である。
【図４】図３の情報処理装置によるダウンロード処理を示すフローチャートである。
【図５】図４の処理にともなう表示パネルへの表示例を示す図である。
【図６】図４の処理にともなう表示パネルへの表示例を示す図である。
【図７】図４の処理にともなう表示パネルへの表示例を示す図である。
【図８】図４の処理にともなう表示パネルへの表示例を示す図である。
【符号の説明】
１  ディジタル複写機（画像形成装置）
１１  スキャナ部
２１  プリンタ部（印画部）
４１  制御部
１００  情報処理装置
１０２  更新処理用プログラム（ダウンロード結果表示用プログラム）
１０５  表示パネル（表示器）
１０４  操作キー部（操作入力部）
１１１，１１２，１１３  プログラム
１１０  表示モード選択部（表示モード選択手段）
１２０  ダウンロードファイル
１３０  ヘッダ
１３２  表示モード指定フラグ
１３３  タイマ値
【図１】
2004355556.tif 000003
【図２】
2004355556.tif 000004
【図３】
2004355556.tif 000005
【図４】
2004355556.tif 000006
【図５】
2004355556.tif 000007
【図６】
2004355556.tif 000008
【図７】
2004355556.tif 000009
【図８】
2004355556.tif 000010